(57)【要約】【課題】本発明の防水カメラハウジング１０は、内部にテレビカメラ４０を収納し、レンズコントロールスイッチ２２、カメラコントロールスイッチ群２４などの操作によって水中撮影が可能である。ハウジング蓋１４には電源端子７４および通信端子７６が設けられ、これらはバッテリ８２および半導体メモリ６２と回路接続されている。【解決手段】水中撮影時、電源端子７４および通信端子７６の非水密性部分に防水キャップ１００，１０２を取り付けて、水分の接触を防止できる。防水キャップ１０２を通信端子７６から取り外し、ＵＳＢコード９０の通信用ピンコネクタ９２を接続すれば、ハウジング蓋１４を開閉せずにビデオカメラ４０から外部機器に映像信号の出力が行える。また、防水キャップ１００を電源端子７４から取り外し、電源端子７４に電源コード９６の電源用ピンコネクタ９８を接続すれば、ハウジング蓋１４を開閉せずにビデオカメラ４０のバッテリ８２に充電できる。【選択図】  図３
2005045530.tif 000002
【特許請求の範囲】
【請求項１】
充電可能なバッテリが搭載され、記録媒体を備えたカメラを収納するハウジングと、該ハウジングに設けられて前記カメラを操作するための操作手段と、ハウジング本体に対してシール構造のハウジング蓋とからなり、前記ハウジングに収納された前記カメラによる撮影が可能な防水カメラハウジングにおいて、
前記カメラに接続され、ハウジング外へ映像信号を出力するための防水構造出力端子と、前記カメラのバッテリに接続され、該バッテリに電源を供給する防水構造電源端子と、を備えたことを特徴とする防水カメラハウジング。
【請求項２】
前記防水構造出力端子もしくは防水構造電源端子には、防水キャップが着脱可能に取り付けられることを特徴とする請求項１に記載された防水カメラハウジング。
【請求項３】
前記記録媒体は、半導体メモリであることを特徴とする請求項１または請求項２に記載された防水カメラハウジング。
【発明の詳細な説明】
【技術分野】
【０００１】
本発明は防水カメラハウジングに係り、特にハウジング内部にテレビカメラまたはビデオカメラを収納し、水中での撮影を可能とする防水カメラハウジングに関する。
【背景技術】
【０００２】
水中撮影は、防水カメラハウジング内部にテレビカメラなどを収納して行なわれ、これによってテレビカメラへの浸水が防止される。（特許文献１参照）。
【特許文献１】特開２００３−０６９８６４号公報
【発明の開示】
【発明が解決しようとする課題】
【０００３】
この防水カメラハウジングでは、録画用テープまたはバッテリの交換時には、ハウジング蓋を開くなどして防水カメラハウジングからテレビカメラを取り出さなければならない。しかし、たとえば湿度の高い場合にハウジング蓋を開閉すると、防水カメラハウジング内部に温度差による結露が発生したり、開閉部の防水シール部分にゴミなどが付着してシールが不完全となり、防水カメラハウジング内部に水が浸入する場合がある。
【０００４】
本発明はこのような事情に鑑みてなされたもので、ハウジング蓋の開閉を不要として、結露の発生や内部への水の浸入を防止できる防水カメラハウジングを提供することを目的とする。
【課題を解決するための手段】
【０００５】
本発明は前記目的を達成するために、充電可能なバッテリが搭載され、記録媒体を備えたカメラを収納するハウジングと、該ハウジングに設けられて前記カメラを操作するための操作手段と、ハウジング本体に対してシール構造のハウジング蓋とからなり、前記ハウジングに収納された前記カメラによる撮影が可能な防水カメラハウジングにおいて、前記カメラに接続され、ハウジング外へ映像信号を出力するための防水構造出力端子と、前記カメラのバッテリに接続され、該バッテリに電源を供給する防水構造電源端子と、を備えたことを特徴としている。
【０００６】
本発明によれば、防水カメラハウジングにカメラと接続された防水構造出力端子と防水構造電源端子とを備えたので、ハウジング蓋の開閉を行わずに映像信号の出力や電源供給が行える。録画した映像を外部機器に出力するには外部機器からのケーブルを防水構造出力端子に接続する。また、カメラのバッテリに充電するには、防水構造電源端子に外部電源からのケーブルを接続する。
【０００７】
請求項２に記載された本発明によれば、防水構造出力端子もしくは防水構造電源端子には、防水キャップが着脱可能に取り付けられるので、端子の水密性を維持し、端子における錆の発生などの不具合を防止できる。
【０００８】
請求項３に記載された本発明によれば、記録媒体は、半導体メモリであるので、録画用テープの交換作業を無くしてハウジング蓋の開閉を省略できる。
【発明の効果】
【０００９】
本発明によれば、ハウジング蓋の開閉を不要として、結露の発生や内部への水の浸入を防止できる。
【発明を実施するための最良の形態】
【００１０】
以下、添付図面に従って、本発明に係る防水カメラハウジングの好ましい実施の形態について詳説する。図１は、本発明の実施の形態に係る防水カメラハウジング１０を示す斜視図である。
【００１１】
防水カメラハウジング１０はハウジング本体１２とハウジング蓋１４とから構成され、内部にテレビカメラ４０（図１において不図示）を収納できる。ハウジング本体１２の前面には被写体光取り込み用の透明ガラス１６が取り付けられ、防水カメラハウジング１０内部からのテレビカメラ４０による撮影が行える。また、防水カメラハウジング１０には保持用の取手１８とともに電子ファインダ２０、レンズコントロールスイッチ２２、カメラコントロールスイッチ群２４などが水密性をもって取り付けられている。
【００１２】
電子ファインダ２０の表示部（不図示）には撮像画像が表示され、撮影時に画角確認用のファインダとして使用できる。なお、符号２６は電子ファインダ２０支持用のアームである。
【００１３】
レンズコントロールスイッチ２２は、撮影時における倍率調整用のズームスイッチとして用いられる。カメラコントロールスイッチ群２４は撮影モード／再生モードを夫々切り換えるためのモード切替ボタン２８や、録画開始/停止ボタン３０、テレビカメラ４０の電源をオン／オフ切り替えする電源スイッチ３２などから構成されている。
【００１４】
図２に示すように、ハウジング本体１２内部のカメラ収納部３４にはテレビカメラ４０が載置される。
【００１５】
テレビカメラ４０のカメラ筐体４２のレンズ鏡筒４４には複数のレンズ群４６が光軸Ｏに沿って配置されている。レンズ群４６のうち、フォーカスレンズ４６Ａはフォーカス用モータ４８によって光軸Ｏ方向に前後動し、フォーカス調整の際に駆動される。また、ズームレンズ４６Ｂは、ズーム用モータ４７によって光軸Ｏ方向に前後動して、ズーム調整の際に駆動される。なお、符号５０はカメラ筐体４２の内部に設けられた絞り、符号５２は同補正レンズであり、絞りモータ５４、補正モータ５６によってそれぞれが駆動され、入射する被写体光の光量調整や、被写体光の結像位置を補正できる。
【００１６】
カメラ筐体４２の基盤４３にはＣＣＤ５８、画像処理部６０、半導体メモリ６２、ＣＰＵ６４、外部Ｉ／Ｆ（インターフェース）６６などが取り付けられ、それぞれが回路接続されている。このうちＣＣＤ５８はレンズ群４６の結像位置に配置され、ＣＰＵ６４から撮像開始指示があると被写体の光学像を取り込む。ＣＣＤ５８によって取り込まれた被写体の光学像は、画像処理部６０にて電子画像データ（デジタルデータ）に変換され、得られたデジタルデータは半導体メモリ６２に連続して書き込まれて記録される。
【００１７】
カメラ筐体４２には、前記レンズコントロールスイッチ２２と電気的な接続を行うレンズコントロール用接点端子７０が設けられ、このレンズコントロール用接点端子７０はフォーカス用モータ４８、ズーム用モータ４７、絞りモータ５４、補正モータ５６それぞれと回路接続されている。また、前記カメラコントロールスイッチ群２４と電気的な接続を行うカメラコントロール用接点端子７２がカメラ筐体４２に設けられ、カメラコントロール用接点端子７２はＣＰＵ６４と回路接続されている。図２の右方向からテレビカメラ４０を防水カメラハウジング１０内部に挿入すると、その挿入動作に連動してレンズコントロール用接点端子７０およびカメラコントロール用接点端子７２が、レンズコントロールスイッチ２２およびカメラコントロールスイッチ群２４に連結され、各々の端子とスイッチがそれぞれ電気的に接続されるとともに、テレビカメラ４０が壁部１２Ａにホールドされる。
【００１８】
カメラ筐体４２には、テレビカメラ４０の各機器に電力を供給するバッテリ８２が設けられている。また、電源用接点端子７８がカメラ筐体４２の後部に設けられ、バッテリ８２はこの電源用接点端子７８と回路接続され、電源用接点端子７８を介して供給される電力によってバッテリ８２の充電が行える。さらに、前記外部Ｉ／Ｆ６６と回路接続された出力用接点端子８０がカメラ筐体４２の後部に設けられ、外部Ｉ／Ｆ６６から出力用接点端子８０に映像信号を出力できる。
【００１９】
ハウジング蓋１４には、前記カメラ側の電源用接点端子７８と電気的な接続を行う電源端子７４が設けられ、この電源端子７４は、同図に示すようにハウジング蓋１４をハウジング本体１２に装着した際に、電源用接点端子７８と連結する位置に配置されている。また、前記カメラ側の出力用接点端子８０と電気的な接続を行う出力端子７６がハウジング蓋１４に設けられ、ハウジング蓋１４をハウジング本体１２に装着した際に、出力用接点端子８０と連結する位置に配置されている。
【００２０】
これら電源端子７４と出力端子７６には、電源用ピンコネクタ９８および通信用ピンコネクタ９２が防水カメラハウジング１０外側からそれぞれ接続される（図３参照）。電源用ピンコネクタ９８は、電源コード９６を介して電源プラグ９４を備えており、電源端子７４に電源用ピンコネクタ９８を接続すれば、電源用接点端子７８に電力を供給できる。また、通信用ピンコネクタ９２はＵＳＢコード９０を介してビデオデッキやテレビなどの各種外部機器（不図示）と接続されており、出力端子７６に通信用ピンコネクタ９２を接続すれば、映像信号を外部機器に出力して、ビデオテープへの録画やテレビで放映できる。
【００２１】
水中撮影時においては、電源端子７４および出力端子７６の露出部分、すなわち非水密性部分には、図２に示したように端子保護用の防水キャップ１００，１０２を取り付ける。防水キャップ１００，１０２は、内部に防水パッキンシールリング１０４を備え、電源端子７４および出力端子７６の露出部分が水と接触しないように保護される。
【００２２】
なお、ハウジング蓋１４にはパッキン溝８４が形成され、このパッキン溝８４にはパッキンシールリング８６がはめ込まれている。パッキンシールリング８６は、ハウジング本体１２へのハウジング蓋１４の装着時に、ハウジング本体１２内部の水密性を維持するために設けられているものである。このパッキンシールリング８６としては、その断面がＯ形状に形成され、ゴムなどの弾性体からなるＯリングなどが挙げられるが、Ｏリングと同様の効果が得られる軟質樹脂材で形成されたパッキンシール部材を用いてよい。また、ハウジング蓋１４にフック（不図示）を設けるとともに、ハウジング本体１２側に不図示のヒンジ（不図示）を形成し、このヒンジに当該フックを係合させて、ハウジング蓋１４とハウジング本体１２への装着が強固にロックされる構成としてもよい。
【００２３】
次に、上記の如く構成された防水カメラハウジング１０の作用について説明する。
【００２４】
防水カメラハウジング１０にテレビカメラ４０を収納するには、はじめにハウジング蓋１４をハウジング本体１２から外し、テレビカメラ４０をカメラ収納部３４に挿入する。壁部１２Ａによってテレビカメラ４０がホールドされ、レンズコントロール用接点端子７０とレンズコントロールスイッチ２２、カメラコントロール用接点端子７２とカメラコントロールスイッチ群２４とがそれぞれ連結される。さらに、ハウジング蓋１４をハウジング本体１２に装着すれば、電源用接点端子７８と電源端子７４、および出力用接点端子８０と出力端子７６がそれぞれ接続される。
【００２５】
水中撮影を行う場合には、図２に示したようにはじめに電源端子７４および出力端子７６の露出部分に防水キャップ１００，１０２を取り付けておく。防水キャップ１００，１０２によって、電源端子７４および出力端子７６に水分が接触することなく、これによって端子の錆の発生などを防止できる。次いで、電源スイッチ３２を操作してテレビカメラ４０の電源をオンし、モード切替ボタン２８を操作して撮影モードを選択する。撮影者は電子ファインダ２０によって被写体を捕らえ、被写体を撮影範囲に収めるように防水カメラハウジング１０を操作（フレーミング）する。この撮影モードにおいて、録画開始／停止ボタン３０を操作すれば録画が開始され、透明ガラス１６を介して取り込まれた被写体光はＣＣＤ５８の撮像面にて結像され、被写体の光学像がデジタルデータとして半導体メモリ６２に書き込まれて記録される。この状態で再度録画開始／停止ボタン３０を操作すれば、当該録画は停止する。なお、モード切替ボタン２８を操作して再生モードを選択すると、電子ファインダ２０には半導体メモリ６２から読み出した再生画像が表示され、録画した画像の確認が行える。
【００２６】
防水カメラハウジング１０にテレビカメラ４０が収納された状態で、テレビカメラ４０から外部機器に映像信号を出力するには、陸上で防水キャップ１０２を出力端子７６から取り外した後、図３に示したように出力端子７６にＵＳＢコード９０の通信用ピンコネクタ９２を接続する。次いで、カメラコントロールスイッチ群２４のモード切替ボタン２８を再生モードとする。ＣＰＵ６４は外部Ｉ／Ｆ６６を介して当該接続を感知し、半導体メモリ６２に記録された画像のデジタルデータを外部Ｉ／Ｆ６６に出力する。外部Ｉ／Ｆ６６からは出力用接点端子８０、通信用ピンコネクタ９２を介して映像信号がＵＳＢコード９０に出力される。したがって、ハウジング蓋１４を開閉せずにテレビカメラ４０から外部機器（ビデオデッキやテレビなど）に映像信号の出力が行える。また、テレビカメラ４０は、その内部に映像記録用の半導体メモリ６２を備えているので、録画用テープの交換を必要とせず、ハウジング蓋１４の開閉は不要である。なお、半導体メモリ６２によって映像を記録するので、録画用テープを用いたテレビカメラと比較して、画像が劣化することもない。
【００２７】
防水カメラハウジング１０にテレビカメラ４０が収納された状態で、外部電源を用いてテレビカメラ４０内部のバッテリ８２の充電を行なうためには、陸上で防水キャップ１００を電源端子７４から取り外し、図３に示したように電源端子７４に電源コード９６の電源用ピンコネクタ９８を差し込んで接続する。次いで、電源プラグ９４をコンセントなどの外部電源に接続すれば、電源端子７４を介してテレビカメラ４０に外部電源から電力が供給され、テレビカメラ４０内のバッテリ８２に充電が行われる。また、電源端子７４に不図示の放電器からの放電コードを差し込めば、バッテリ８２の放電を行うことができる。
【００２８】
なお、テレビカメラ４０を防水カメラハウジング１０から回収するには、ハウジング本体１２からハウジング蓋１４を開成すれば、テレビカメラ４０をハウジング本体１２から取り出せる。
【００２９】
このように、本発明の実施の形態にかかる防水カメラハウジング１０によれば、防水カメラハウジング１０に出力端子７６と電源端子７４とを備えたので、ハウジング蓋１４の開閉を行わずに映像信号の出力やバッテリ８２への充電が行える。
【００３０】
また、出力端子７６もしくは電源端子７４の非水密性部分には、防水キャップ１００，１０２を取り付けて端子の水密性を維持できるので、端子における錆の発生などを防止できる。
【００３１】
さらに、防水カメラハウジング１０に収納するテレビカメラ４０は、映像記録用の半導体メモリ６２を併せ持つテレビカメラであるので、録画用テープの交換作業を無くしてハウジング蓋１４の開閉を不要にできる。
【００３２】
なお、前述した実施の形態に示した防水カメラハウジング１０の構成は、前記実施の形態に限定されるものではない。たとえば、本実施の形態においては、ハウジング蓋１４に電源端子７４と出力端子７６とを設けたが、これに限ることなく電源端子７４と出力端子７６とをハウジング本体１２側に取り付けてもよい。この場合、電源用接点端子７８と出力用接点端子８０はカメラ筐体４２の側面において、テレビカメラ４０を防水カメラハウジング１０内部に挿入した際、電源端子７４と出力端子７６とに連結される位置に位置決めする。
【００３３】
また、電源端子７４と出力端子７６が、たとえば一つのコネクタにまとめられた複合端子で構成されているものであってもかまわない。さらに、出力端子７６はＵＳＢインターフェースに限らず、例えばＩｒＤＡ、ＩＥＥＥ１３９４その他のシリアルインターフェースやパラレルインターフェースなども適用できる。
【００３４】
また、防水カメラハウジング１０に収納されるカメラはテレビカメラを例として用いて説明したが、これに限らず、デジタルカメラや銀塩カメラなどにも本発明を適用できることはいうまでもない。
【図面の簡単な説明】
【００３５】
【図１】本発明の実施の形態に係る防水カメラハウジングの外観を示す斜視図
【図２】本発明の実施の形態に係る防水カメラハウジングの構成を示す平面図
【図３】本発明の実施の形態に係る防水カメラハウジングの作用を示す平面図
【符号の説明】
【００３６】
１０…防水カメラハウジング、１２…ハウジング本体、１４…ハウジング蓋、４０…テレビカメラ、６２…半導体メモリ、７４…電源端子、７６…出力端子、１００，１０２…防水キャップ
【図１】
2005045530.tif 000003
【図２】
2005045530.tif 000004
【図３】
2005045530.tif 000005